(57)【要約】  【課題】漢方薬草類の持つ薬効を充分に発揮させることができ、薬袋保持体を用いた薬袋の腹部等への着用を煩わしさ等を伴うことなく簡易に行うことができるとともに、着用感等を向上させることのできる薬袋着用具を提供する。  【解決手段】  薬効成分を気体として放出する漢方薬草類が収納される薬袋２０Ａと、この薬袋２０を腹部（の臍５とその周辺部）にあてがった状態で保持するための薬袋保持体３０と、を備える。薬袋保持体３０は、腹部（胴部）に巻き付けることのできる帯状体（バンド）からなっている。薬袋保持体３０の一端部近くの内周面側に、漢方薬草類が詰め込まれた薬袋２０を収納するための、薬袋２０Ａより若干大きめの、上辺部が開口した矩形状の袋収納用内ポケット４０が設けられている。薬袋保持体３０の他端部の内周面側には、該薬袋保持体３０を胴回りの長さに合わせて締め付け固定するための、面ファスナーからなる長さ調節用係着具３５が設けられている。【選択図】  図１
2006006393.tif 000002
【特許請求の範囲】
【請求項１】
薬効成分を気体として放出する漢方薬草類が収納される薬袋と、該薬袋を腹部等にあてがった状態で保持するための薬袋保持体と、を備え、前記薬袋は、前記漢方薬草類が漏れ出ないように、通気性及び柔軟性を有する素材で、平たい封筒状に作製されていることを特徴とする薬袋着用具。
【請求項２】
前記薬袋は、前記薬袋保持体に着脱可能に取着できるようにされていることを特徴とする請求項１に記載の薬袋着用具。
【請求項３】
前記薬袋保持体に、前記薬袋としての、前記漢方薬草類が直接収納される薬収納用内ポケットが設けられていることを特徴とする請求項１に記載の薬袋着用具。
【請求項４】
前記薬袋保持体は、腹部等に巻き付けることのできる帯状体からなっていることを特徴とする請求項１から３のいずれかに記載の薬袋着用具。
【請求項５】
前記帯状体からなる薬袋保持体の一端部及び又は他端部付近に、該薬袋保持体を胴回りの長さ等に合わせて締め付け固定するための、面ファスナー等からなる巻き付け長さ調節用係着具が設けられていることを特徴とする請求項４に記載の薬袋着用具。
【請求項６】
前記帯状体からなる薬袋保持体は、肌に直接触れる内周面部と該内周面部に面ファスナー等で脱着可能に接合される外周面部との二層構造とされ、前記内周面部は、棉製品等の自然素材で形成されていることを特徴とする請求項４又は５に記載の薬袋着用具。
【請求項７】
前記薬袋保持体は、腹部等に外装保持される弾性的に伸縮可能な腹巻きないしサポータからなっていることを特徴とする請求項１から３のいずれかに記載の薬袋着用具。
【請求項８】
前記薬袋及び又は前記薬袋保持体に、前記薬袋を前記薬袋保持体の長さ方向に沿う任意の部位に着脱可能に取着するための面ファスナー等の係着具が設けられていることを特徴とする請求項４から７のいずれかに記載の薬袋着用具。
【請求項９】
前記薬袋に、前記薬袋保持体の内周面部側から外周面部側へ折り返されてその外周面部に着脱可能に取着される折り返し部が設けられていることを特徴とする請求項８に記載の薬袋着用具。
【請求項１０】
前記折り返し部に、前記面ファスナー等の係着具が設けられていることを特徴とする請求項９に記載の薬袋着用具。
【請求項１１】
前記薬袋保持体の外周面部に、面ファスナー等の係着具が設けられていることを特徴とする請求項９に記載の薬袋着用具。
【請求項１２】
前記薬袋に、前記薬袋保持体に外挿されてその長さ方向に沿ってスライドさせることのできる輪状ないし筒状の外挿体が設けられていることを特徴とする請求項４から６のいずれかに記載の薬袋着用具。
【請求項１３】
前記薬袋保持体は、ランニングシャツ等の肌着類からなっていることを特徴とする請求項１から３のいずれかに記載の薬袋着用具。
【請求項１４】
前記薬袋保持体に、前記薬袋を収納するための袋収納用内ポケットが設けられていることを特徴とする請求項１又は２に記載の薬袋着用具。
【請求項１５】
前記袋収納用内ポケットは、ガーゼ等の通気性及び柔軟性を有する素材で作製されていることを特徴とする請求項１４に記載の薬袋着用具。
【請求項１６】
前記薬袋保持体は、腹部等に巻き付けることができる紐状ないしベルト状とされるとともに、その巻き掛け長さが調節可能とされていることを特徴とする請求項１又は２に記載の薬袋着用具。
【請求項１７】
前記薬袋保持体は、前記薬袋を首から吊り下げるための首掛け具からなっていることを特徴とする請求項１又は２に記載の薬袋着用具。
【請求項１８】
前記首掛け具からなる薬袋保持体は、腹部等にも巻き付けることができるように、その巻き掛け長さが調節可能とされていることを特徴とする請求項１７に記載の薬袋着用具。
【請求項１９】
前記薬袋保持体に、複数個の前記薬袋が着脱可能に取着できるようにされていることを特徴とする請求項２から１８のいずれかに記載の薬袋着用具。
【請求項２０】
前記漢方薬草類として、樹木の樹皮、葉、根、花、キノコ類、昆虫類、動物の一部等のうちの一種類ないし複数種類を乾燥させてなる漢方薬もしくは生薬を、そのままか、細かく刻むか、小さく粉砕するか、又は加工して丸薬等にしたものが用いられていることを特徴とする請求項１から１９のいずれかに記載の薬袋着用具。
【発明の詳細な説明】
【技術分野】
【０００１】
本発明は、薬効成分を気体として放出する漢方薬草類を収納した薬袋を身体の腹部等にあてがった状態で保持するための薬袋着用具に関する。
【背景技術】
【０００２】
従来より、蒸臍法等として、薬効成分を気体として放出する漢方薬草類、例えば、樹木の樹皮、葉、根、花、キノコ類、昆虫類、動物の一部等のうちの一種類ないし複数種類を乾燥させてなる漢方薬もしくは生薬を、そのままか、細かく刻むか、小さく粉砕するか、又は加工して丸薬等にしたものを薬袋に入れ、この薬袋を腹部等にあてがって（肌に密着させて）、漢方薬草類の薬効成分を皮膚呼吸を通して体内に吸収（経皮的吸収）させて、腹部等の経路を通る「気」のはたらきを活発化し、もって、内臓疾患の治癒（例えば、癌等に対する免疫力のアップ）等を図ることが知られている（例えば、特許文献１参照）。
【０００３】
【特許文献１】実公平７−５６０２１号公報（第１〜３頁、図１〜図５）
【発明の開示】
【発明が解決しようとする課題】
【０００４】
前記のように、漢方薬草類の持つ薬効を充分に発揮させるためには、薬袋を常時腹部等にあてがっておくことが要求され、そのため、薬袋を腹部等にあてがった状態で保持する薬袋保持体が必要とされる。この場合、薬袋保持体を用いた薬袋の腹部等への着用を煩わしさ等を伴うことなく簡易に行えるようにするため、さらに、着用感等を向上させるためには、薬袋や薬袋保持体の構成に格別の配慮、工夫が必要とされる。
【０００５】
本発明は、前記の如くの課題に鑑みてなされたもので、その目的とするところは、漢方薬草類の持つ薬効を充分に発揮させることができ、薬袋保持体を用いた薬袋の腹部等への着用を煩わしさ等を伴うことなく簡易に行うことができるとともに、着用感等を向上させることのできる薬袋着用具を提供することにある。
【課題を解決するための手段】
【０００６】
前記の目的を達成すべく、本発明に係る薬袋着用具は、薬効成分を気体として放出する漢方薬草類が収納される薬袋と、該薬袋を腹部等にあてがった状態で保持するための薬袋保持体と、を備え、前記薬袋は、前記漢方薬草類が漏れ出ないように、通気性及び柔軟性を有する素材で、平たい封筒状に作製されていることを特徴としている。
【０００７】
前記薬袋は、好ましくは、前記薬袋保持体に着脱可能に取着できるようにされる。
好ましい態様では、前記薬袋保持体に、前記薬袋としての、前記漢方薬草類が直接収納される薬収納用内ポケットが設けられる。
【０００８】
前記薬袋保持体は、好ましくは、腹部等に巻き付けることのできる帯状体で構成される。この場合、好ましい態様では、前記帯状体からなる薬袋保持体の一端部及び又は他端部付近に、該薬袋保持体を胴回りの長さ等に合わせて締め付け固定するための、面ファスナー等からなる巻き付け長さ調節用係着具が設けられる。
【０００９】
また、他の好ましい態様では、前記帯状体からなる薬袋保持体は、肌に直接触れる内周面部と該内周面部に面ファスナー等で脱着可能に接合される外周面部との二層構造とされ、前記内周面部は、棉製品等の自然素材で形成される。
【００１０】
さらに別の好ましい態様では、前記薬袋保持体は、腹部等に外装保持される弾性的に伸縮可能な腹巻きないしサポータで構成される。
前記薬袋保持体は、さらに別の好ましい態様では、ランニングシャツ等の肌着類で構成される。
【００１１】
他の好ましい態様では、前記薬袋及び又は前記薬袋保持体に、前記薬袋を前記薬袋保持体の長さ方向に沿う任意の部位に着脱可能に取着するための面ファスナー等の係着具が設けられる。
【００１２】
この場合、好ましくは、前記薬袋に、前記薬袋保持体の内周面部側から外周面部側へ折り返されてその外周面部に着脱可能に取着される折り返し部が設けられ、さらに好ましくは、前記折り返し部に、前記面ファスナー等の係着具が設けられるか、あるいは、前記薬袋保持体の外周面部に、面ファスナー等の係着具が設けられる。
【００１３】
また、上記とは別の好ましい態様では、前記薬袋に、前記薬袋保持体に外挿されてその長さ方向に沿ってスライドさせることのできる輪状ないし筒状の外挿体が設けられる。
【００１４】
一方、他の別の好ましい態様では、前記薬袋保持体に、好ましくは、前記薬袋を収納するための袋収納用内ポケットが設けられ、この袋収納用内ポケットは、好ましくは、ガーゼ等の通気性及び柔軟性を有する素材で作製される。
【００１５】
前記薬袋保持体は、好ましくは、腹部等に巻き付けることができる紐状ないしベルト状とされるとともに、その巻き掛け長さが調節可能とされる。
【００１６】
他の好ましい態様では、前記薬袋保持体は、前記薬袋を首から吊り下げるための首掛け具で構成される。
この場合、前記首掛け具からなる薬袋保持体は、好ましくは、腹部等にも巻き付けることができるように、その巻き掛け長さが調節可能とされる。
さらに別の好ましい態様では、前記薬袋保持体に、複数個の前記薬袋が着脱可能に取着できるようにされる。
【００１７】
前記漢方薬草類として、好ましくは、樹木の樹皮、葉、根、花、キノコ類、昆虫類、動物の一部等のうちの一種類ないし複数種類を乾燥させてなる漢方薬もしくは生薬を、そのままか、細かく刻むか、小さく粉砕するか、又は加工して丸薬等にしたものが用いられる。
【発明の効果】
【００１８】
本発明に係る薬袋着用具によれば、漢方薬草類の薬効成分を皮膚呼吸を通して体内に吸収（経皮的吸収）させて、内臓疾患の治癒（例えば、癌等に対する免疫力のアップ）等を図ることができることは勿論、薬袋保持体を用いた薬袋の腹部等への着用を煩わしさ等を伴うことなく簡易に行うことができるとともに、着用感等も向上させることができる。
【００１９】
また、効能のある薬袋を身に付けているという安心感が得られることから、これにイメージトレーニング（例えば、薬効成分が自分の体にしみ込んでゆくようなイメージを想起する）を組み合わせることにより、癌等に対する免疫力が一段とアップする等の効果（暗示効果）も得られる。
【００２０】
さらに、漢方薬草類の臭い、香りによる効果（アロマセラピー）や薬効成分の口、鼻からの呼吸吸収による効果等も得られる。
上記に加え、帯状（バンド状）の薬袋保持体は、一般の腹巻きと同等の保温効果等も得られる。
【発明を実施するための最良の形態】
【００２１】
以下、本発明に係る薬袋着用具の実施形態を図面を参照しながら説明する。
【００２２】
図１は、本発明に係る薬袋着用具の第１実施形態を示す概略構成図である。
図示実施形態の薬袋着用具１０Ａは、図３に示される如くに、腹部（胴部）に巻き付けて腹巻きのような形態で使用されるもので、薬効成分を気体として放出する漢方薬草類が収納される薬袋２０Ａと、この薬袋２０Ａを腹部（の臍５とその周辺部）にあてがった状態で保持するための薬袋保持体３０と、を備える。
【００２３】
前記漢方薬草類として、ここでは、樹木の樹皮、葉、根、花、キノコ類、昆虫類、動物の一部等のうちの一種類ないし複数種類を乾燥させてなる漢方薬もしくは生薬を、そのままか、細かく刻むか、小さく粉砕するか、又は加工して丸薬等にしたものが用いられている。
【００２４】
前記薬袋２０Ａは、図２（Ａ）に示される如くに、前記漢方薬草類が漏れ出ないように、通気性及び柔軟性を有する不織布、綿製品等の素材で、平たい封筒状に作製されている。この薬袋２０Ａには、上部に設けられた入れ口から漢方薬草類が厚みが略均一（平板状）となるように詰め込まれている。また、その上部には前記入れ口を塞ぐように折り返されるかもしくは裏返される蓋部２０ａが設けられている。
【００２５】
前記薬袋保持体３０は、腹部（胴部）に巻き付けることのできる帯状体（バンド）からなっている。この薬袋保持体３０の内周面部３０ａ（肌に接触する側）は、タオル地等の肌触りの良い綿製品等の自然素材で形成され、外周面部３０ｂは、化学繊維で形成されている。
【００２６】
かかる帯状体からなる薬袋保持体３０の一端部近くの内周面側に、前記漢方薬草類が詰め込まれた薬袋２０Ａを収納するための、前記薬袋２０Ａより若干大きめの、上辺部が開口（開口部４０ａ）した矩形状の袋収納用内ポケット４０が設けられている。この袋収納用内ポケット４０は、ガーゼのような通気性及び柔軟性を有する素材が用いられて作製されている。
【００２７】
また、薬袋保持体３０の他端部の内周面部３０ａ側には、該薬袋保持体３０を胴回りの長さに合わせて締め付け固定するための、化学繊維で形成された外周面部３０ｂに着脱可能に係着せしめられる面ファスナーからなる巻き付け長さ調節用係着具３５が設けられている。
【００２８】
このような構成とされた薬袋着用具１０Ａを使用するにあたっては、薬袋２０Ａに所要の漢方薬草類を前記のように詰め込み、この薬袋２０Ａを袋収納用内ポケット４０に収納し、この袋収納用内ポケット４０（薬袋２０Ａ）を、図３に示される如くに、臍５とその周辺部に当接するようにあてがい（密着させ）、袋収納用内ポケット４０が設けられている一端部を動かないように保持したまま、面ファスナーからなる長さ調節用係着具３５が設けられている他端部を腹部締め付け方向に若干引っ張って、長さ調節用係着具３５を一端部側に押しつける。これにより、薬袋保持体３０が胴回りの長さに合わせて締め付け固定され、前記薬袋２０Ａが、臍５とその周辺部に押し当てられた状態で保持される。
【００２９】
本実施形態の薬袋着用具１０Ａでは、漢方薬草類の薬効成分を皮膚呼吸を通して体内に吸収（経皮的吸収）させて、内臓疾患の治癒（例えば、癌等に対する免疫力のアップ）等を図ることができる。
【００３０】
それに加えて、薬袋２０Ａが、漢方薬草類が漏れ出ないように、通気性及び柔軟性を有する素材で平たい封筒状に作製されて、この薬袋２０Ａに、漢方薬草類が厚みが略均一（平板状）となるように詰め込まれるので、使用している人にさほど違和感を感じさせず、薬袋２０Ａは袋収納用内ポケット４０に自由に出し入れできるとともに、薬袋保持体３０の締め付け固定は、面ファスナーからなる長さ調節用係着具３５を用いて行うようにされているので、薬袋（漢方薬草類）の取り替えや薬袋保持体３０を用いた薬袋２０Ａの腹部への着用を煩わしさ等を伴うことなく簡易に行うことができるとともに、着用感等も向上させることができる。
【００３１】
また、効能のある薬袋２０Ａを身に付けているという安心感が得られることから、これにイメージトレーニング（例えば、薬効成分が自分の体にしみ込んでゆくようなイメージを想起する）を組み合わせることにより、癌等に対する免疫力が一段とアップする等の効果（暗示効果）も得られる。
【００３２】
さらに、漢方薬草類の臭い、香りによる効果（アロマセラピー）や薬効成分の口、鼻からの呼吸吸収による効果等も得られる。
上記に加え、帯状（バンド状）の薬袋保持体３０は、一般の腹巻きと同等の保温効果等も得られる。
【００３３】
なお、図４に示される如くに、薬袋保持体３０’を、肌に直接触れる内周面部３０ａと外周面部３０ｂとの相互に分離可能な二層構造とし、内周面部３０ａに外周面部３０ｂを面ファスナー３６、３６、…等で脱着可能に接合するようになすことにより、清潔に保っておきたい内周面部３０ａを外周面部３０ｂから取り外して洗濯することができ、便利である。
【００３４】
また、図２（Ｂ）に示される如くに、薬袋を小形にして複数個（２０Ａ’、２０Ａ’）用意して、それぞれに、例えば別種の漢方薬草類を詰め込み、これらを並列的に前記袋収納用内ポケット４０に収納するようにしてもよい。
【００３５】
図５は、本発明に係る薬袋着用具の第２実施形態を示す概略構成図である。
図示実施形態の薬袋着用具１０Ｂは、前記実施形態と同様に、薬袋保持体３０を有し、腹巻きのような形態で使用されるものであるが、薬袋保持体３０には袋収納用内ポケット４０が設けられておらず、薬袋２０Ｂを薬袋保持体３０の長さ方向に沿う任意の部位（例えば、腰部の背中側）に着脱可能に取着できるようになっている。
【００３６】
すなわち、前記薬袋２０Ｂには、図６（Ａ）及び（Ｂ）を参照すればよくわかるように、薬袋保持体３０の内周面部３０ａ側から外周面部３０ｂ側へ折り返される、薬袋本体部分から上下に突出する折り返し部２２、２２が設けられており、この折り返し部２２、２２の裏面側に、薬袋保持体３０の外周面部３０ｂに着脱可能に係着される面ファスナー等の係着具２３、２３がそれぞれ設けられている。なお、前記折り返し部２２，２２は、薬袋本体部分と同じ素材で一体に形成してもよいし、別素材で作製して後で薬袋本体部分に縫い付けるか、貼り付ける等してもよい。
【００３７】
本実施形態の薬袋着用具１０Ｂを使用するにあたっては、薬袋２０Ｂに所要の漢方薬草類を前記のように詰め込み、この薬袋２０Ｂを薬袋保持体３０の任意の部位（例えば、腰部の背中中央に相当する部位）の内周面部３０ａ側にあてがって（図６（Ａ）、（Ｂ）参照）、前記折り返し部２２、２２をそれぞれ外周面部３０ｂ側へ折り返して、前記係着具２３、２３を外周面部３０ｂに押し付ける。これにより、薬袋２０Ｂが薬袋保持体３０の長さ方向に沿う任意の部位に着脱可能に係着されて保持される。そして、薬袋保持体３０を腰部に巻き付けて薬袋２０Ｂ、２０Ｂを所望の部位に押し当て、薬袋保持体３０の一端部を動かないように保持したまま、面ファスナーからなる長さ調節用係着具３５が設けられている他端部を腹部締め付け方向に若干引っ張って、長さ調節用係着具３５を一端部側に押しつける。これにより、薬袋保持体３０が胴回りの長さに合わせて締め付け固定され、前記薬袋２０Ｄ、２０Ｄが、腰部の所望の部位（例えば、腰部の背中中央）に押し当てられた状態（不動状態）で保持され、前記実施形態と略同様な作用効果が得られる。
【００３８】
このように本実施形態の薬袋着用具１０Ｂでは、薬袋２０Ｂを腰部の任意の部位にあてがうことができ、また、薬袋２０Ｂを複数個を用意して、それらをそれぞれ任意の部位（例えば、腰部の前後左右）に配置できるので、効能範囲、治療効果等を拡大することができる。
【００３９】
図７に示される第３実施形態の薬袋着用具１０Ｃは、前記実施形態と同様に、薬袋保持体３０には袋収納用内ポケット４０が設けられておらず、複数個の薬袋２０Ｃ、２０Ｃを薬袋保持体３０の長さ方向に沿う任意の部位（例えば、腰部の腹側及び背中側）に着脱可能に取着できるようになっている。
【００４０】
すなわち、本実施形態の薬袋２０Ｃは、薬袋保持体３０の内周面部３０ａ側から外周面部３０ｂ側へ折り返される、薬袋本体部分から上下に突出する折り返し部２４、２４（ただし、前記係着具２３、２３は無し）が設けられ、薬袋保持体３０の外周面部３０ｂの上下には、長さ方向に沿って所定間隔をあけて多数の面ファスナー等の係着具２６、２６、…が設けられている。なお、前記折り返し部２４，２４は、前記面ファスナー等の係着具２６、２６、…に係着される素材（例えば、化学繊維）が用いられる。
【００４１】
本実施形態の薬袋着用具１０Ｃを使用するにあたっては、例えば、複数個の薬袋２０Ｃ、２０Ｃに所要の漢方薬草類を前記のように詰め込み、この薬袋２０Ｃを薬袋保持体３０の任意の部位（例えば、腰部の左右に相当する部位）の内周面部３０ａ側にあてがって、前記折り返し部２４、２４をそれぞれ外周面部３０ｂ側へ折り返して、外周面部３０ｂに設けられている面ファスナー等の係着具２６、２６、…に押し付ける。これにより、薬袋２０Ｃ、２０Ｃが薬袋保持体３０の長さ方向に沿う任意の部位に着脱可能に係着されて保持され、前記実施形態と略同様な作用効果が得られる。なお、本実施形態では、薬袋保持体３０の外周面部３０ｂの上下に、ワッペンのような矩形状の面ファスナーからなる係着具２６、２６、…が所定間隔をあけて設けられているが、これに代えて、テープ状の面ファスナーからなる係着具を用いてもよい。
【００４２】
図８に示される第４実施形態の薬袋着用具１０Ｄは、複数個の薬袋２０Ｄ、２０Ｄを薬袋保持体３０の長さ方向に沿う任意の部位（例えば、腰部の腹側及び背中側）に着脱（挿脱）可能に取付保持できるようになっている。
【００４３】
すなわち、本実施形態では、前記薬袋２０Ｄに、前記薬袋保持体３０に外挿されてその長さ方向に沿ってスライドさせることのできる筒状（薬袋本体部分と同幅）の外挿体２５が設けられている。この外挿体２５は、所定長の布状素材（例えば、化学繊維）の両端を接合して筒状となし、それを薬袋２０Ｄ（の本体部分）に縫い付けるか、貼り付けたもの、あるいは、所定長の布状素材の両端をそれぞれ薬袋２０Ｄ（の本体部分）の上辺部及び下辺部に縫い付けるか、貼り付けたもので、前記薬袋保持体３０が緩く通されるバンド通しとして機能する。なお、外挿体２５としては、もっと狭幅のテープ状のものや紐状のものを１本ないし複本使用してもよいことは勿論である。
【００４４】
本実施形態の薬袋着用具１０Ｃを使用するにあたっては、例えば、複数個の薬袋２０Ｄ、２０Ｄに所要の漢方薬草類を前記のように詰め込み、この薬袋２０Ｄの外挿体２５に薬袋保持体３０をその一端側から通し、薬袋２０Ｄ全体を薬袋保持体３０の任意の部位（例えば、腰部の左右に相当する部位）までスライドさせる。そして、薬袋保持体３０を腰部に巻き付けて薬袋２０Ｄ、２０Ｄを腰部の所望の部位に押し当て、薬袋保持体３０の一端部を動かないように保持したまま、面ファスナーからなる長さ調節用係着具３５が設けられている他端部を腰部締め付け方向に若干引っ張って、長さ調節用係着具３５を一端部側に押しつける。これにより、薬袋保持体３０が胴回りの長さに合わせて締め付け固定され、前記薬袋２０Ｄ、２０Ｄが、腰部の所望の部位（例えば、腰部の腹側及び背中側）に押し当てられた状態（不動状態）で保持され、前記実施形態と略同様な作用効果が得られる。
【００４５】
図９は、第５実施形態の薬袋着用具５０の使用状態を示す図である。
図示実施形態の薬袋着用具５０は、（Ａ）に示される如くの薬袋２０Ｅを首から吊り下げる形態と、（Ｂ）に示される如くに、前記実施形態と同様に薬袋保持体６０を胴部（腹部）に巻き付ける形態の両方で使用できるようにされており、前記実施形態と同様な構成の薬袋２０Ｅと、この薬袋２０Ｅを首から吊り下げるための、薬袋保持体６０としての巻掛け紐と、を備え、前記巻掛け紐からなる薬袋保持体６０は、腹部にも巻き付けることができるように、その巻き掛け長さを調節具７０を用いて調節可能とされている。
【００４６】
このような構成とされた薬袋着用具５０を使用するにあたっては、薬袋２０Ｅに所要の漢方薬草類を前記のように詰め込み、この薬袋２０Ｅが臍５とその周辺部に当接するように、前記巻掛け紐６０の巻掛け長さを調節具７０を用いて調節する。その後、肌着等を付けることにより、薬袋２０がふらつくことなくその位置で保持され、前記した実施形態と略同様な作用効果が得られる。
【００４７】
以上、本発明の実施形態について詳述したが、本発明は、前記実施形態に限定されるものではなく、特許請求の範囲に記載された発明の精神を逸脱しない範囲で、設計において、種々の変更ができるものである。
【００４８】
例えば、前記第１実施形態では、薬袋保持体３０に薬袋２０Ａを収納するための袋収納用内ポケット４０が設けられているが、それに代えて、前記薬袋保持体３０に、前記薬袋としての、前記漢方薬草類が直接収納される薬収納用内ポケットを設けてもよい。言い換えれば、前記袋収納用内ポケット４０に漢方薬草類を直接収納するようにしてもよい。
【００４９】
前記薬袋保持体としては、前記した帯状体３０、巻掛け紐６０の他、腹部等に外装保持される弾性的に伸縮可能な腹巻きないしサポータ（リストバンド等）の形態をとるものでも、ランニングシャツ等の肌着類や植木職人等が身に付けるドボン等と呼ばれる仕事着等であってもよい。
【図面の簡単な説明】
【００５０】
【図１】本発明に係る第１実施形態の薬袋着用具を示す概略構成図。
【図２】第１実施形態の薬袋着用具の薬袋と袋収納用内ポケットの説明に供される図。
【図３】第１実施形態の薬袋着用具の使用状態を示す図。
【図４】第１実施形態の薬袋着用具の変形例を示す図。
【図５】本発明に係る第２実施形態の薬袋着用具を示す概略構成図。
【図６】第２実施形態の薬袋着用具の薬袋の取り付け方の説明に供される図で、（Ａ）は取り付け前の薬袋と薬袋保持体を示す拡大図、（Ｂ）は（Ａ）の薬袋部分の断面図。
【図７】本発明に係る第３実施形態の薬袋着用具を水平に展開した状態を示す図。
【図８】本発明に係る第４実施形態の薬袋着用具を示し、（Ａ）は水平に展開した状態を示す図、（Ｂ）は（Ａ）の薬袋部分の断面図。
【図９】本発明に係る第５実施形態の薬袋着用具の使用状態を示す図。
【符号の説明】
【００５１】
１０Ａ、１０Ｂ、１０Ｃ、１０Ｄ、５０  薬袋着用具
２０Ａ、２０Ｂ、２０Ｃ、２０Ｄ、２０Ｅ  薬袋
２２、２４  折り返し部
２３、２６  係着具（面ファスナー）
２５  外挿体
３０  薬袋保持体（帯状体）
３０ａ  内周面部
３０ｂ  外周面部
３５  長さ調節用係着具（面ファスナー）
４０  袋収納用内ポケット
６０  薬袋保持体（巻掛け紐）
７０  調節具
【図１】
2006006393.tif 000003
【図２】
2006006393.tif 000004
【図３】
2006006393.tif 000005
【図４】
2006006393.tif 000006
【図５】
2006006393.tif 000007
【図６】
2006006393.tif 000008
【図７】
2006006393.tif 000009
【図８】
2006006393.tif 000010
【図９】
2006006393.tif 000011